(57)【要約】【課題】製造コストを抑え、かつ小型化された増幅器モジュールを得ることを目的とする。【解決手段】１枚の基板上に並列に配置した少なくとも２以上の増幅器の入力側に電力分配器を、出力側に電力合成器をそれぞれ設けた複数の増幅回路基板を互いに平行となるように配置し、前記電力分配器に電力を分配する電力分配基板を複数の増幅回路基板の入力側に、前記増幅器で増幅された電力を合成する電力合成基板を複数の増幅回路基板の出力側に、それぞれ複数の増幅回路基板と交差する位置に設けたことを特徴とする。【選択図】図１
2009171026.tif 000002
【特許請求の範囲】
【請求項１】
アレーアンテナを用いた電波照射システムの増幅器モジュールにおいて、
１枚の基板上に並列に配置した少なくとも２以上の増幅器の入力側に電力分配器を、出力側に電力合成器をそれぞれ設けた複数の増幅回路基板を互いに平行となるように配置し、前記電力分配器に電力を分配する電力分配基板を前記複数の増幅回路基板の入力側に、前記増幅器で増幅された電力を合成する電力合成基板を前記複数の増幅回路基板の出力側に、それぞれ前記複数の増幅回路基板と交差する位置に設けたことを特徴とする増幅器モジュール。
【発明の詳細な説明】
【技術分野】
【０００１】
この発明は、アレーアンテナを用いた電波照射システムにおいて、各アンテナ素子へ供給するＲＦ（高周波）信号を増幅する増幅器モジュールに関する。
【背景技術】
【０００２】
従来のアレーアンテナを用いた電波照射システムでは、アレーアンテナを構成する各アンテナ素子にそれぞれ高出力増幅器を一つ備え、該高出力増幅器を用いてアレーアンテナへ供給するＲＦ信号又はアレーアンテナで受信したＲＦ信号を増幅するようにしたものがあった（例えば、特許文献１参照）。しかしながら、アレーアンテナを用いた電波照射システムで使用するような高出力増幅器は高価であり、このような高出力増幅器を用いた場合、電波照射システムの製造コストが高くなるという課題があった。一般には、増幅器１個当たりの出力が高くなるにつれ単価が高くなる。このため、出力１０Ｗを得たい場合、高価な出力１０Ｗの増幅器を１個用いるよりも、安価な出力０．１Ｗの増幅器を１０個用いたほうが電波照射システムを安価に構成できる。このため、従来の増幅器には、出力Ｗ数の低い安価な複数の増幅器を複数並べ、前記複数の増幅器の入力側に前記複数の増幅器にＲＦ信号（電力）を分配する電力分配器と、前記複数の増幅器の出力側に前記複数の増幅器で増幅されたＲＦ信号を合成する電力合成器とを１枚の基板上に設けて増幅器モジュールとしたものがあった（例えば、引用文献２参照）。
【０００３】
【特許文献１】特開２００７−１７４０９０
【特許文献２】特開平９−２３２８２１
【発明の開示】
【発明が解決しようとする課題】
【０００４】
従来の増幅器モジュールは上記のように構成されており、１枚の基板上に複数の増幅器を並列に並べるため、増幅器モジュールが大型化するという課題があった。また、小型化のために、高出力の増幅器を用いた場合には、製造コストが高くなるという課題があった。
【０００５】
この発明は、上記のような課題を解決するためになされたもので、製造コストを抑え、かつ小型化できる増幅器モジュールを得ることを目的とする。
【課題を解決するための手段】
【０００６】
この発明に係る増幅器モジュールは、１枚の基板上に並列に配置した少なくとも２以上の増幅器の入力側に電力分配器を、出力側に電力合成器をそれぞれ設けた複数の増幅回路基板を互いに平行となるように配置し、前記電力分配器に電力を分配する電力分配基板を複数の増幅回路基板の入力側に、前記増幅器で増幅された電力を合成する電力合成基板を複数の増幅回路基板の出力側に、それぞれ複数の増幅回路基板と交差する位置に設けたことを特徴とする。
【発明の効果】
【０００７】
この発明によれば、１枚の基板上に並列に配置した少なくとも２以上の増幅器の入力側に電力分配器を、出力側に電力合成器をそれぞれ設けた複数の増幅回路基板を互いに平行となるように配置し、前記電力分配器に電力を分配する電力分配基板を複数の増幅回路基板の入力側に、前記増幅器で増幅された電力を合成する電力合成基板を複数の増幅回路基板の出力側に、それぞれ複数の増幅回路基板と交差する位置に設けたように構成したので、増幅器モジュールの製造コストを抑え、かつ小型化することができるという効果を有する。
【発明を実施するための最良の形態】
【０００８】
以下、この発明における、実施の形態の一例について、添付の図面に従って説明する。
実施の形態１．
図１は、この発明の実施の形態1による増幅器モジュール１００の構成(レイアウト)を示した図である。この実施の形態１による増幅器モジュール１００は、複数の増幅回路基板１０と、電力分配基板２０と、電力合成基板３０とを備える。増幅回路基板１０は、アンテナ素子３００へ供給するＲＦ信号（電力）を増幅する複数の増幅器１、各増幅器１にＲＦ信号を分配する電力分配器２、各増幅器１で増幅されたＲＦ信号を合成する電力合成器３と備えている。電力分配基板２０は、複数の増幅回路基板１０がそれぞれ備える電力分配器２の入力端にＲＦ信号を分配する。電力合成基板３０は、複数の増幅回路基板１０がそれぞれ備える電力合成器３の出力端から出力される増幅後のＲＦ信号を合成し、アンテナ素子３００へ出力する。また、電力分配器２００は、アレーアンテナを構成する各アンテナ素子３００にそれぞれ設けられた増幅器モジュール１００にＲＦ信号を分配する。
【０００９】
図１に示すように、各増幅回路基板１０は、互いに平行に配置されている。電力分配基板２０は、各増幅回路基板１０の前段に、各増幅回路基板１０と交差する位置に設けられており、電力分配器２と電気的に接続されている。電力合成基板３０は、各増幅回路基板１０の後段に、各増幅回路基板１０と交差する位置に設けられており、電力合成器３と電気的に接続されている。なお図１では、増幅回路基板１０は、電力分配基板２０及び電力合成基板３０と垂直に交差する位置に配置されているが、増幅器モジュール１００の小型化を達成できればよく、厳密に増幅回路基板１０を互いに平行に並べる必要はない。また、増幅回路基板１０についても、電力分配基板２０及び電力合成基板３０と垂直に交差する位置に厳密に配置する必要はない。
【００１０】
このように、増幅器１が配置された部分を複数の増幅回路基板１０に分割して、これら増幅回路基板１０を、電力分配基板２０と電力合成基板３０に垂直に交差する位置に配置することで、増幅器モジュールが大きくなることを防止できる。なお、図１では、増幅回路基板１０に増幅器１を４つ並列に配置したものを示したが、増幅回路基板１０上に配置される増幅器１は４個に限られない。また、各増幅器モジュール１００が備える増幅回路基板１０の枚数も４枚に限られない。なお、増幅回路基板１０に何個の増幅器１を並列に並べ、何枚の増幅回路基板１０を互いに平行に配置するかは、増幅器モジュール１００に何個の増幅器１が必要であるか、また、１枚の増幅回路基板１０に何個の増幅器１を配置すれば最も小型化が可能であるかにより決定される。
【００１１】
以上のように、この実施の形態１による増幅器モジュール１００によれば、のように構成したので、製造コストを抑え、かつ小型化することができるという効果がある。また、各アンテナ素子３００の間隔よりも増幅器モジュール１００を小さくして、アレーアンテナを用いた電波照射システム自体を小型化できるという効果がある。なお、増幅器モジュール１００に使用する基板の枚数が増えるため、基盤の製造コストが上昇するが、高価な高出力増幅器を安価な低出力増幅器へ変更することによるコスト削減効果が大きいため、全体として増幅器モジュール１００の製造コストを抑えることが可能である。なお、この実施の形態１では、アレーアンテナを構成する各アンテナ素子３００へ供給するＲＦ信号を増幅場合について説明したが、各アンテナ素子３００で受信したＲＦ信号を増幅する場合にも増幅器モジュール１００を使用できることは言うまでもない。
【図面の簡単な説明】
【００１２】
【図１】この実施の形態１による増幅器モジュールの構成を示した図である。
【符号の説明】
【００１３】
１  増幅器、２  電力分配器、３  電力合成器、１０  増幅回路基板、２０  電力分配基板、３０  電力合成基板、１００  増幅器モジュール、２００  電力分配器、３００  アンテナ素子。
【図１】
2009171026.tif 000003